(57)【要約】【課題】タッチパネルとリアカバー開口からの光漏れの低減、表示周囲の外装カバー開口からの光漏れの低減を可能とする電子機器を提供する。【解決手段】電子機器は、表示装置と、前記表示装置に接着固定され、前記表示装置との接着固定面側において、前記表示装置の表示領域以外の周辺領域に黒枠印刷が施されている保護板と、前記表示装置の周囲を覆うように前記保護板の周辺領域に当接する樹脂枠部材と、を有することを特徴とする。【選択図】図２
2013152351.tif 000002
【特許請求の範囲】
【請求項１】
表示装置と、
前記表示装置に接着固定され、前記表示装置との接着固定面側において、前記表示装置の表示領域以外の周辺領域に黒枠印刷が施されている保護板と、
前記表示装置の周囲を覆うように前記保護板の周辺領域に当接する樹脂枠部材と、を有することを特徴とする電子機器。
【請求項２】
前記樹脂枠部材は、遮光材料で形成されていることを特徴とする請求項１に記載の電子機器。
【請求項３】
前記保護板の前記表示装置との接着固定面側から前記表示装置および前記保護板を保持する第１の外装部と、
前記接着固定面とは反対側から前記表示装置および前記保護板を保持する第２の外装部と、
前記樹脂枠部材を介して前記表示装置を保持するとともに前記第１の外装部に取り付けるメインシャーシと、を更に有し、
前記樹脂枠部材は、前記第２の外装部と当接する凸部と、前記メインシャーシに形成された凸部と係合する凹部とを備えることを特徴とする請求項１または２に記載の電子機器。
【請求項４】
ユーザが指示する操作部を有し、
前記操作部は、前記樹脂枠部材の外側に配置されることを特徴とする請求項１から３のいずれか１項に記載の電子機器。
【発明の詳細な説明】
【技術分野】
【０００１】
本発明は、例えばデジタルカメラ等の電子機器に関し、特に表示装置を備えた電子機器に関する。
【背景技術】
【０００２】
従来から、デジタルカメラや携帯電話等の小型電子機器では、機器を良好に操作するため、タッチパネルを具備したものがある。特許文献１では、表示装置を含む内部構成部位を重ね合わせて、外周全体の端部のみを覆うように、弾性衝撃緩衝材を填める構成が開示されている。そして、弾性衝撃緩衝材を金属からなるＬ字型の枠形状の金属フレームで筐体に押し当てるように固定することで、落下などの衝撃を緩衝する機構を実現している。
【先行技術文献】
【特許文献】
【０００３】
【特許文献１】特開２００１−１７５６０８号公報
【発明の概要】
【発明が解決しようとする課題】
【０００４】
しかしながら、特許文献１では、衝撃への強度アップはされているが、タッチパネルとリアカバー開口からの光漏れの低減、表示周囲の外装カバー開口からの光漏れの低減は困難である。
【０００５】
そこで、本発明は、タッチパネルとリアカバー開口からの光漏れの低減、表示周囲の外装カバー開口からの光漏れの低減を可能とする電子機器の提供を目的とする。
【課題を解決するための手段】
【０００６】
本発明の一側面としての電子機器は、表示装置と、前記表示装置に接着固定され、前記表示装置との接着固定面側において、前記表示装置の表示領域以外の周辺領域に黒枠印刷が施されている保護板と、前記表示装置の周囲を覆うように前記保護板の周辺領域に当接する樹脂枠部材と、を有することを特徴とする。
【発明の効果】
【０００７】
本発明の電子機器によれば、タッチパネルとリアカバー開口からの光漏れの低減、表示周囲の外装カバー開口からの光漏れの低減を可能とする。
【図面の簡単な説明】
【０００８】
【図１】（ａ）は本発明の電子機器の実施形態の一例であるデジタルカメラの前面斜視図であり、（ｂ）はデジタルカメラの背面斜視図である。
【図２】（ａ）はデジタルカメラの前面分解斜視図であり、（ｂ）はデジタルカメラの背面分解斜視図である。
【図３】（ａ）は図１（ｂ）のＡ−Ａ線に沿う断面図であり、（ｂ）は図１（ｂ）のＢ−Ｂ線に沿う断面図である。
【発明を実施するための形態】
【０００９】
以下に、本発明の好ましい実施の形態を、添付の図面に基づいて詳細に説明する。
【００１０】
図１（ａ）は本発明の電子機器の実施形態の一例であるデジタルカメラの前面斜視図であり、図１（ｂ）はデジタルカメラの背面斜視図である。
【００１１】
デジタルカメラ本体の第１の外装部であるフロントカバー１と第２の外装部であるリアカバー２の内部には、撮影を可能とする各種の部材が配置されている。レンズ鏡筒３は、光軸方向に繰り出したり繰り込んだりすることにより、撮影光学系の焦点距離を変更する。ストロボ４は、撮影時の光量不足の時に発光する。撮影モード選択ボタン５は、ボタンをスライドさせることにより、撮影モードの種類の切り替えが可能である。電源ボタン６は、デジタルカメラの電源をオンまたはオフする。レリーズボタン７は、２段階の押圧操作が可能であり、半押し操作により撮影準備動作（測光動作や焦点調節動作等）が開始され、全押し操作により撮影動作（ＣＣＤ等の撮像素子への露光）が開始される。ズームレバー８は、レリーズボタン７を中心に回動し、回動操作により、撮影範囲をワイドポジション、テレポジションに切り替え可能である。外部接続端子のカバー９は、引き出すことにより、本体と外部接続ケーブルを接続することが可能である。再生ボタン１０は、押すことで撮影した画像を再生可能である。タッチパネル１１は、ユーザが押圧して指示することにより各種操作を行う。タッチパネル１１の下には、表示装置１４が配置されている。
【００１２】
以下、タッチパネル１１および表示装置１４の配置構成について図２を用いて説明する。
【００１３】
図２（ａ）はデジタルカメラの前面分解斜視図であり、図２（ｂ）はデジタルカメラの後面分解斜視図である。
【００１４】
タッチパネル１１には、保護板１２が接着固定されている。保護板１２として、強化ガラスやアクリル板等が使用される。保護板１２の外形は、タッチパネル１１の外形よりも大きくなっており、タッチパネル１１と保護板１２によりタッチパネルユニットを構成している。
【００１５】
表示装置１４は、両面テープ１３により、タッチパネル１１と保護板１２との接着面とは反対側で保護板１２に固定される。保護板１２には、表示装置１４との接着固定面側において、表示装置１４の表示領域以外の周辺領域に黒枠印刷１２ａが施されている。
【００１６】
両面テープ１３は、ロの字の形状をしており、保護板１２の黒枠印刷１２ａの領域内で、表示装置１４の表示領域と重ならないように貼り付けられる。本実施例では、両面テープ１３をロの字形状として使用しているが、タッチパネルユニットおよび表示装置１４を固定できればこれに限らない。例えば、ロの字ではなく、短冊形状にしてそれぞれの部品の４辺を固定しても構わない。また、両面テープ１３は、ある程度の厚みを持たせている。そのため、タッチパネルユニットと表示装置１４の隙間は、両面テープ１３の厚みで保たれているが、テープ間をＰＥＴ樹脂などの固い材料で構成して、タッチパネルユニットと表示装置１４の隙間を保たせる構成にしてもよい。
【００１７】
樹脂枠部材１５は、ロの字の形状をしており、ロの字の内寸は、縦寸法、横寸法ともに、表示装置１４が収まるように、表示装置１４からある程度の隙間を持たせている。樹脂枠部材１５は、表示装置１４の光漏れを防ぐために樹脂色を黒とするか遮光材料とする。
【００１８】
保護板１２の外形は、樹脂枠部材１５のロの字の内寸よりもさらに大きく設定されている。そのため、樹脂枠部材１５の内側には表示装置１４は収まるが、タッチパネルユニットは樹脂枠部材１５に収まらずにロの字の立ち壁部に乗る構成となる。
【００１９】
メインシャーシ１６は、デジタルカメラの各種の操作部が設けられている。樹脂枠部材１５は、不図示の複数の爪形状がメインシャーシ１６に形成された鉤形状と係合することによって、メインシャーシ１６に保持される。本実施例では、樹脂枠部材１５側を爪形状とするがこれに限らない。
【００２０】
メインシャーシ１６と固定された樹脂枠部材１５にタッチパネルユニットと表示装置１４を組み込んだ後に、タッチパネル１１および表示装置１４のフレキシブルプリント基板を不図示の本体前面側のメイン基板に接続する。最後に、リアカバー２を本体後面側から組み込むことにより組立てが完了する。このとき、タッチパネル１１の外形は、リアカバー２の開口に収まる寸法になっている。
【００２１】
図３を用いて、組立て後の構成図を説明する。図３（ａ）は、図１（ｂ）に示すＡ−Ａ線に沿う断面図であり、リアカバー２側を拡大した図である。図３（ｂ）は、図１（ｂ）に示すＢ−Ｂ線に沿う断面図であり、デジタルカメラ本体の上側を拡大した図である。
【００２２】
保護板１２の黒枠印刷１２ａの裏面側には、リアカバー２の内面に貼り付けられロの字の形状の弾性部材（不図示）が当接する。不図示の弾性部材は、保護板１２を樹脂枠部材１５側に押しつけるような構成となっているため、リアカバー２と保護板１２の隙間は不図示の弾性部材の厚みよりも小さくなっている。タッチパネルユニットは、リアカバー２が組まれると、不図示の弾性部材を押しつぶすことになる。不図示の弾性部材を押しつぶすことで、保護板１２と樹脂枠部材１５は必ず当接し、保護板１２と樹脂枠部材１５には隙間がない構成となる。
【００２３】
表示装置１４は樹脂枠部材１５に周囲を覆われており、樹脂枠部材１５は保護板１２と黒枠印刷１２ａで当接する構成になっている。このとき、保護板１２と表示装置１４との間には一定の隙間１７が保たれている。上述したように、保護板１２と表示装置１４との間の隙間は両面テープ１３の厚みで保たれているが、両面テープ１３は弾力性があるため、最終的な隙間は保護板１２が樹脂枠部材１５と当接することで保たれる。
【００２４】
保護板１２は、黒枠印刷１２ａで樹脂枠部材１５と当接しているため、黒枠印刷１２ａと樹脂枠部材１５の遮光により、表示装置１４の４辺の外周は遮光されることになる。表示装置１４の４辺の外周が遮光されることにより、表示装置１４の光は、リアカバー２の開口部にのみ導光される。また、黒枠印刷１２ａは、樹脂材料である樹脂枠部材１５と当接しており、メインシャーシ１６等の金属部に触れない構成となっている。すなわち、黒枠印刷１２ａの印刷がはがれることはないので、はがれた部分から表示装置１４の光が漏れることはない。
【００２５】
また、樹脂枠部材１５の外側には、再生ボタン１０が配置されているが、表示装置１４の表示面からの光は、黒枠印刷１２ａと樹脂枠部材１５により遮光されるため、再生ボタン１０の開口から直接漏れることもない。
【００２６】
図３（ｂ）に示すように、樹脂枠部材１５の一端である凸部１５ａはリアカバー２に当接し、もう一方の端である凹部１５ｂはメインシャーシ１６の立ち壁部１６ａをくわえこむ構成となっている。上記構成により、リアカバー２の外側からの静圧を表示装置１４が直接受けないため、強度アップも可能である。
【００２７】
以上、本発明の好ましい実施形態について説明したが、本発明はこれらの実施形態に限定されず、その要旨の範囲内で種々の変形及び変更が可能である。
【符号の説明】
【００２８】
１２  保護板
１３  両面テープ
１４  表示装置
１５  樹脂枠部材
【図１】
2013152351.tif 000003
【図２】
2013152351.tif 000004
【図３】
2013152351.tif 000005